(57)【特許請求の範囲】
【請求項１】
基体と、該基体に取外し自在に装着される柄とからなるコットンホルダーであって、
基体は、化粧用コットンを保持する基板と、基板を連設した柄取付部とからなっており、
基板は、上下面に軟材質の板状部材を配設しており、
柄は、把持部と柄取付部に係合される取付部と、しなり部とからなっていることを特徴とする化粧用コットンホルダー。
【請求項２】
柄取付部に挿入孔が穿孔されており、両側面には、挿入孔に直交する係止孔が穿孔されていることを特徴とする請求項１記載の化粧用コットンホルダー。
【請求項３】
基体と、該基体に取外し自在に装着される柄とからなるコットンホルダーであって、
基体は、化粧用コットンを保持する基板と、柄取付部を設けた取付台とからなっており、
基板自体が、軟材質で成形されており、該基板が取付台に装着され、
柄は、把持部と柄取付部に係合される取付部と、しなり部とからなっていることを特徴とする化粧用コットンホルダー。
【請求項４】
取付台に挿入孔が穿孔されており、両側面には、挿入孔に直交する係止孔が穿孔されていることを特徴とする請求項３記載の化粧用コットンホルダー。
【請求項５】
柄の取付部としなり部が、把持部に連設された二又杆によって形成され、二又杆の先端部の外側に突起と押圧片が設けられて、この突起が係止孔に係合することを特徴とする請求項２または４記載の化粧用コットンホルダー。
【請求項６】
柄の取付部が、根本部と根本部に連設された二又杆によって形成され、二又杆の先端部の外側に突起と押圧片が設けられて、この突起が係止孔に係合し、
しなり部は、取付部の根本部と把持部との間に配設され、上下方向と水平方向に延びる縦板と水平板とを複数個接続して形成されていることを特徴とする請求項２または４記載の化粧用コットンホルダー。
【発明の詳細な説明】
【０００１】
【発明の属する技術分野】
本発明は、化粧用コットンのコットンホルダーに関する。
【０００２】
【発明が解決しようとする課題】
ウェブ状中綿をシルクライク素材の不織布で包み込み、不織布の折り返し部を把持布とした化粧用コットンは、従来より使用されている。
化粧用コットンの使用にあたって、把持布と中綿の間に手指を差し込み、塗布面に化粧液を付け、肌面を軽く叩いてパッティングしたり、なでつけたりして塗布していた。
【０００３】
しかしながら、化粧用コットンに手指を差込んだ時に、指の大きさに応じ把持布と中綿の間が拡げられ、塗布面が狭められるという問題があった。
また、差込んだ手指を拡げて、把持布を破損するということもあった。
【０００４】
また、手指に傷があるとき、化粧用コットンに付けた化粧液で手指の傷を傷めることもあって使用できないこともあった。
化粧用コットンの化粧液が手指に付着し、付着した化粧液、とくに香料などを落とすために手指をていねいに洗わなければならなかった。
【０００５】
本発明は、上記の問題を考慮して、化粧用コットンにコットンホルダーを差込み、化粧用コットンに塗布した化粧液に手指が触れずに使用できるようにするとともに、化粧用コットンを肌面にソフトに接触させるようにしたコットンホルダーを提供することを目的とする。
【０００６】
【課題を解決するための手段】
本発明は、上記の課題を解決するため、化粧用コットンホルダーとして、基体と、該基体に取外し自在に装着される柄とからなるコットンホルダーであって、基体は、化粧用コットンを保持する基板と、基板を連設した柄取付部とからなっており、基板は、上下面に軟材質の板状部材を配設しており、柄は、把持部と柄取付部に係合される取付部と、しなり部とからなっていることを特徴とする構成を採用する。
【０００７】
柄取付部の実施態様として、柄取付部に挿入孔が穿孔されており、両側面には、挿入孔に直交する係止孔が穿孔されていることを特徴とする構成を採用する。
【０００８】
コットンホルダーの実施態様として、基体と、該基体に取外し自在に装着される柄とからなるコットンホルダーであって、基体は、化粧用コットンを保持する基板と、柄取付部を設けた取付台とからなっており、基板自体が、軟材質で成形されており、該基板が取付台に装着され、柄は、把持部と柄取付部に係合される取付部と、しなり部とからなっていることを特徴とする構成を採用し、取付台の実施例として、取付台に挿入孔が穿孔されており、両側面には、挿入孔に直交する係止孔が穿孔されていることを特徴とする構成を採用する。
【０００９】
コットンホルダーの柄の実施態様として、柄の取付部としなり部が、把持部に連設された二又杆によって形成され、二又杆の先端部の外側に突起と押圧片が設けられて、この突起が係止孔に係合することを特徴とする構成、または、柄の取付部が、根本部と根本部に連設された二又杆によって形成され、二又杆の先端部の外側に突起と押圧片が設けられて、この突起が係止孔に係合し、しなり部は、取付部の根本部と把持部との間に配設され、上下方向と水平方向に延びる縦板と水平板とを複数個接続して形成されていることを特徴とする構成を採用する。
【００１０】
【発明の実施の形態】
次に、本発明コットンホルダーの第１実施形態について説明する。
図１において、Ａはコットンホルダー、Ｂは化粧用コットンである。
【００１１】
図１，２に示すように、コットンホルダーＡは、基体Ａ１と該基体Ａ１に取外し自在に装着される柄Ａ２とからなり、合成樹脂で成形されている。
基体Ａ１は、基板１と、該基板１に連設された柄取付部２とからなっており、基板１の上下面には軟材質の板状部材３が配設されており、板状部材３は、インサート成形或いは接着などによって、基板１および柄取付部２と一体にされている。
板状部材３の表面には、多数の突部４が形成されている。
【００１２】
図２，３に示すように、柄取付部２には、横断面が角形の挿入孔５が穿孔されており、両側面には、挿入孔５に直交する係止孔６が穿孔されている。
【００１３】
図２に示すように、柄Ａ２は、先端に円板を連接した長方形の板によって成形された把持部８と、把持部８からＵ字状に延びる二又杆９ａ，９ｂによって形成された取付部１０と、しなり部１１とからなっている。
二又杆９ａ，９ｂのそれぞれの先端部外側面には、係止孔６に係合する突起１２が突設され、一定の間隔をおいてＴ字形の押圧片１３が設けられて、柄Ａ２の取付部１０が形成されている。
【００１４】
しなり部１１は、二又杆９ａ，９ｂの根本部から押圧片１３までの部分によつて形成されており、該しなり部１１を形成する二又杆９ａ，９ｂは、巾方向に弾性変形可能であるとともに、巾方向に直交する面内の上下方向にも可撓性を有している。
また、上下方向の可撓性を増すため、二又杆９ａ，９ｂのしなり部１１の板面を波状の凹凸面としてもよい。
【００１５】
化粧用コットンＢは、一般に市販されているものが使用できる。
その一例を図４に示すと、化粧用コットンＢは、角形のウェブ状の中綿１５をシルクライク素材の不織布１６で包み込んだもので、不織布１６を折り返して中綿１５を挟み込み、再度折り返して中綿１５を包み込み、不織布１６を、その始端部分１６ａの上に重ね合わせ、中綿１５の両側で接着して接合部１７を形成している。
【００１６】
重ね合わせた表側の不織布１６によって把持布１８が形成され、その反対側の不織布１６は塗布面１６ｂとなっている。
把持布１８と中綿１５、不織布始端部分１６ａとの間にコットンホルダーＡの袋状の差込み部１９が形成されている。
【００１７】
次に、本実施形態コットンホルダーの使用態様と作用効果について説明する。
コットンホルダーの使用は、まず、コットンホルダーＡの基体Ａ１と柄Ａ２が組み合わされ、コットンホルダーＡが組立てられる。
次いで、コットンホルダーＡを化粧用コットンＢに装着し、化粧用コットンＢに化粧液を滴下し、コットンホルダーＡの柄Ａ２を持って化粧液を肌に塗布する。
【００１８】
コットンホルダーＡの組立にあたっては、二又杆９ａ，９ｂの押圧片１３を持って両側より押圧すると、二又杆９ａ，９ｂは変形して先端部分の間隔が狭まり、二又杆９ａ，９ｂの先端部分を柄取付部２の挿入孔５に差し込むことができ、手を離すと二又杆９ａ，９ｂの間隔が広がり、位置を調節すると、突起１２が係止孔６に嵌挿され、柄Ａ２が柄取付部２にしっかりと取付けられる。
【００１９】
化粧用コットンＢへのコットンホルダーＡの装着にあたっては、差込み部１９に基体Ａ１を挿入すると、基板１によって把持布１８と中綿１５との間が拡げられ、それぞれの内面が基板１の表面に圧接されることになり、軟材質の板状部材３のすべり止め効果によって、コットンホルダーＡから化粧用コットンＢがずり落ちて外れることが防止される。
【００２０】
使用にあたっては、化粧用コットンＢの塗布面に化粧液を滴下し、コットンホルダーＡの把持部８を持って化粧液を肌に塗布する。
その際、基板１の表面には、軟材質の板状部材３があるので、基板１と化粧用コットンＢとの間で基板１の固さが和らげられ、また、二又杆９ａ，９ｂが上下方向に可撓性があるので、化粧用コットンＢは、肌面につねに一定の接触力を持って接触し、肌面を軽く叩いてパッティングするときにはソフト感が付与される。
【００２１】
また、肌面に押し当て、なでる時にもソフトに接触し、突部４が中綿１５を介して塗布面にも影響を与え、肌面に化粧液を塗布しながらマッサージをすることもできる。
【００２２】
そして、軟材質の板状部材３にすべり止め効果があり、さらに、その表面に突部４があるために、使用中にコットンホルダーＡが抜け落ちることはなく、化粧液の拭き取りにも使用できる。
また、コットンホルダーＡを用いるため、化粧液が直接手指に付着して汚れることもない。
使用後には、押圧片１３を押さえて基体Ａ１から柄Ａ２を取外すことができるので、コンパクトにしまっておくことができる。
【００２３】
次に、第２実施形態のコットンホルダーについて説明する。
本実施形態は、前記第１実施形態の基体Ａ１の構成を変更したものである。
図５において、Ａ１ａは基体、２０は軟材質、例えば、液不透性のスポンジ、ポリウレタンなどを素材とした基板、２１は取付台であり、基板２０の所定個所には、円形の透孔２２が穿孔されている。
【００２４】
図５，６に示すように、取付台２１は、柄Ａ２を取付けるための挿入孔２３を穿孔し、側面に係止孔２４を穿孔した柄取付部２５と、該柄取付部２５の下端に連設された受け板２６と、上端にヒンジ２７を介して連設された押え板２８とを具えている。
受け板２６には、上端内周に膨出環２９を設けた係合筒３０が立設されており、押え板２８には、先端に係合筒３０の内周に嵌合する係合環３１を設けた係止筒３２が垂設されている。
【００２５】
基体Ａ１ａの組立てにあたっては、受け板２６の係合筒３０に基板２０の透孔２２を嵌挿して、基板２０を受け板２６に取付け、次に、押え板２８を廻動して係止筒３２を係合筒３０に嵌着し、基板２０を取付台２１に取着する。
次いで、取付台２１に前実施形態と同一の柄Ａ２を嵌挿してコットンホルダーを組立てる。
【００２６】
使用にあたって、前記第１実施形態と同様に化粧液を塗布し、肌に塗布するようにするが、基板２０が軟材質によって成形されているので、塗布にあたって、パッティング、押しつけのいずれでも肌面にソフトに接触させることができ、さらに、化粧用コットンＢの中綿１５、把持布１８と基板２０との間の摩擦によって抜け落ちを防止している。
【００２７】
次に、柄についての別実施形態について説明する。
前記各実施形態では、柄部の二又杆のしなり部が変形してしなるようにしているが、本実施形態は、しなり部の構成を変更したものである。
図７において、Ａ２ａはコットンホルダーの柄であり、把持部４０と取付部４１、把持部４０と取付部４１とを結ぶしなり部４２とからなっている。
【００２８】
取付部４１は、根本部４３と根本部４３からＵ字形に延びる二又杆４４ａ，４４ｂを具えており、二又杆４４ａ，４４ｂの先端部外周には、突起４５とＴ字形の押圧片４６が突設されている。
しなり部４２は、取付部４１の根本部４３と把持部４０との間に配設され、上下方向と水平方向に延びる縦板４７と水平板４８とを複数個接続して形成されている。
【００２９】
コットンホルダーの使用時には、しなり部４２が変形することによって柄Ａ２ａがしなり、化粧液コットンを肌面にソフトに接触させることができる。
【００３０】
【発明の効果】
本発明は、上記のように構成されているから、次の効果を奏する。
化粧用コットンにコットンホルダーを差込み、柄を握って塗布できるようにしたから、手指が化粧用コットンに塗布した化粧液に触れずに使用できる。
【００３１】
基板の表面に軟材質の板状部材を配設したり、基板自体を軟材質で成形しているので、化粧用コットンへの装着によって、塗布面の広さを常に一定にするとともに、肌面にソフトに接触させるようにできた。
そのため、軽く叩くパッティング、化粧用コットンのなでつけによる化粧液の塗布をソフトに行うことができ、さらに、なでつけ時には、肌面をマッサージすることもできるようになった。
【００３２】
基板の表面が軟材質であるため、コットンホルダーから化粧用コットンが外れることを防ぐことができる。
【図面の簡単な説明】
【図１】本発明の化粧用コットンホルダーの斜視図である。
【図２】コットンホルダーの分解斜視図である。
【図３】コットンホルダー基体の断面図である。
【図４】化粧用コットンの説明図で、（ａ）は斜視図、（ｂ）は断面図である。
【図５】  第２実施形態のコットンホルダー基体の説明図で、（ａ）は斜視図、（ｂ）は断面図である。
【図６】  取付台の断面図である。
【図７】  コットンホルダー柄部の別実施形態の斜視図である。
【符号の説明】
Ａ            コットンホルダー
Ａ１、Ａ１ａ  基体
Ａ２、Ａ２ａ  柄
Ｂ            化粧用コットン
１、２０      基板
２、２５      柄取付部
３            板状部材
４            突部
５、２３      挿入孔
６、２４      係止孔
８、４０      把持部
９ａ，ｂ、４４ａ，ｂ  二又杆
１０、４１    取付部
１１、４２    しなり部
１２、４５    突起
１３、４６    押圧片
１５          中綿
１６          不織布
１６ａ        始端部分
１６ｂ        塗布面
１７          接合部
１８          把持部
１９          差込み部
２１          取付台
２２          透孔
２６          受け板
２７          ヒンジ
２８          押え板
２９          膨出環
３０          係合筒
３１          係合環
３２          係止筒
４３          根本部
４７          縦板
４８          水平板
【図１】
0004496700.tif 000002
【図２】
0004496700.tif 000003
【図３】
0004496700.tif 000004
【図４】
0004496700.tif 000005
【図５】
0004496700.tif 000006
【図６】
0004496700.tif 000007
【図７】
0004496700.tif 000008